(57)【特許請求の範囲】
【請求項１】
茶畝を跨ぎながら前方へ走行可能な走行機体に装着される剪枝装置であって、
前記茶畝の上面に沿うように形成された板状部材を含み、前記板状部材の前側に刈刃を備えた剪枝機体と、
前記刈刃の後方位置において前記剪枝機体に設置され、前記刈刃が剪枝した剪枝屑を前記板状部材の上面において畝間に向かって移送する移送手段と、
前記移送手段により移送されてきた剪枝屑を前記板状部材の端から畝間に向かって落下させるため前記剪枝機体の側方へ張り出した縦板状の誘導部材と、を備え、
前記誘導部材は、前記剪枝機体から前記剪枝機体の横幅方向に向かって伸長可能な連接部材の一端に連結され、前記連接部材の伸縮によって前記誘導部材と前記剪枝機体との間に形成された空間から前記畝間に剪枝屑を落下させることを特徴とする剪枝装置。
【請求項２】
前記誘導部材は、前記剪枝機体の両側部に一対に設けられ、両隣の茶畝の裾部を押し拡げて前記剪枝屑が畝間に落下する空間を拡げることを特徴とする請求項１に記載の剪枝装置。
【請求項３】
前記誘導部材は、前方側の一端が前記剪枝機体の側部に揺動可能に支持され、後方側の他端が前記連接部材の一端に連結され、
前記連接部材は、一端部側にスリットが設けられ、他端部側は前記誘導部材に揺動可能に連接したアーム部材であって、前記板状部材と前記アーム部材の一端部側とは、前記剪枝機体に螺合し、かつ前記スリットを挿通した軸部を備えた締め具によって接離可能とされていることを特徴とする請求項１または２に記載の剪枝装置。
【発明の詳細な説明】
【技術分野】
【０００１】
この発明は、茶樹を剪枝する剪枝装置に関し、さらに詳しくは、茶畝を跨いで走行する刈取機、茶園管理機、摘採機等に装着される剪枝装置に関する。
【背景技術】
【０００２】
従来、この種の剪枝装置にあっては、刈取機、茶園管理機、摘採機等の走行機体後部に着脱可能に装着されるアタッチメントの１つであって、茶畝の上面（横幅方向）に沿うように形成された板状の剪枝機体の下面側に、上下一対の刈刃（バリカン刃）が左右方向に往復動可能に設けられていると共に、剪枝機体の上面側には、刈刃が剪枝した剪枝屑を左右の畝間に向かって移送するブロワやチェーンコンベア等の移送手段と、移送手段により移送されてきた剪枝屑を畝間に向かって落下させるための板状のカバーとが設けられていた（例えば、特許文献１参照）。
【０００３】
【特許文献１】特開２０００−２７０６５７号公報
【発明の開示】
【発明が解決しようとする課題】
【０００４】
しかしながら、上記した従来の剪枝装置にあっては、カバーは、移送手段によって移送されてきた剪枝屑を狭い畝間に落とし込むために剪枝機体から側方に張り出された状態で固定支持されている。そのため、剪枝機体とカバーとの間の限られた空間から剪枝屑が落下することとなるので、大量の剪枝屑が移送されてくると畝間に落としきれず、剪枝機上に剪枝屑が溜まってしまうという問題があった。
また、従来の剪枝装置に設けられていた飛散防止カバーは、ビニールなどで畝間に沿ってガイドするように設けられていたため、傾斜地では山側の飛散防止カバーが剪枝屑が落下する空間を塞いでしまい、剪枝機体上に剪枝屑が溜まってしまうという問題があった。
【０００５】
そこで、この発明は、上記した従来技術が有している問題点を解決するためになされたものであって、剪枝屑を円滑に畝間に排出すると共に、剪枝機体上に剪枝屑が溜まるのを防止して良好な剪枝作業を行うことが可能な剪枝装置を提供することを目的とする。
【課題を解決するための手段】
【０００６】
上記目的を達成するため請求項１に記載の発明は、茶畝を跨ぎながら前方へ走行可能な走行機体に装着される剪枝装置であって、前記茶畝の上面に沿うように形成された板状部材を含み、前記板状部材の前側に刈刃を備えた剪枝機体と、前記刈刃の後方位置において前記剪枝機体に設置され、前記刈刃が剪枝した剪枝屑を前記板状部材の上面において畝間に向かって移送する移送手段と、前記移送手段により移送されてきた剪枝屑を前記板状部材の端から畝間に向かって落下させるため前記剪枝機体の側方へ張り出した縦板状の誘導部材と、を備え、前記誘導部材は、前記剪枝機体から前記剪枝機体の横幅方向に向かって伸長可能な連接部材の一端に連結され、前記連接部材の伸縮によって前記誘導部材と前記剪枝機体との間に形成された空間から前記畝間に剪枝屑を落下させることを特徴とする。
【０００７】
上記目的を達成するため請求項２に記載の発明は、請求項１に記載の発明の構成に加えて、前記誘導部材は、前記剪枝機体の両側部に一対に設けられ、両隣の茶畝の裾部を押し拡げて前記剪枝屑が畝間に落下する空間を拡げることを特徴とする。
【０００８】
請求項１，２に記載の発明によれば、剪枝機体に誘導部材を茶畝の横幅方向に向かって開動可能、または伸縮可能かつ伸縮量を調整可能な連接部材によって連接することによって、誘導部材の張り出し量を調整できるようにした。さらに、誘導部材は、隣の茶畝の裾部を押し拡げて剪枝屑が畝間に落下する空間を拡げるように張り出される。これにより、剪枝機体と誘導部材との間の空間をより拡げることができるようになるうえに、剪枝作業を行っている茶畝の隣の茶畝の裾部を誘導部材が押して畝間を充分拡げることができるようになるので、大量の剪枝屑が移送されてきても、また、傾斜地であっても剪枝屑を剪枝機体上に剪枝屑を溜めることなく、畝間に落下させることができるようになる。
【０００９】
上記目的を達成するため請求項３に記載の発明は、請求項１または２に記載の発明の構成に加えて、前記誘導部材は、前方側の一端が前記剪枝機体の側部に揺動可能に支持され、後方側の他端が前記連接部材の一端に連結され、前記連接部材は、一端部側にスリットが設けられ、他端部側は前記誘導部材に揺動可能に連接したアーム部材であって、前記板状部材と前記アーム部材の一端部側とは、前記剪枝機体に螺合し、かつ前記スリットを挿通した軸部を備えた締め具によって接離可能とされていることを特徴とする。
【００１０】
請求項３に記載の発明によれば、剪枝装置の構造を大幅に変更することなく、簡素な構成で茶畝を充分拡げることができるようになるので、既存の剪枝装置にも容易に適用することができる。
【発明の効果】
【００１１】
本発明の剪枝装置によれば、剪枝機体に誘導部材を茶畝の横幅方向に向かって開動可能、または伸縮可能かつ伸縮量を調整可能な連接部材によって連接することによって、誘導部材の張り出し量を調整できるすると共に、誘導部材によって隣の茶畝の裾部を押し拡げて剪枝屑が畝間に落下する空間を拡げるようにした。これにより、剪枝屑を円滑に畝間に排出すると共に、剪枝機体上に剪枝屑が溜まるのを防止して良好な剪枝作業を行うことが可能となる。
【発明を実施するための最良の形態】
【００１２】
以下、本発明の剪枝装置を備えた刈取機の一実施形態について図面を用いて詳細に説明する。図１は、本発明の剪枝装置を備えた刈取機の側面図、図２は、同例における剪枝装置の正面図、図３は、同例における剪枝装置の平面図、図４は、同例における剪枝装置のカバーを最大に張り出させた状態を示した平面図である。
【００１３】
図１〜４に示されるように、刈取機１００は、フレーム本体１０、走行装置２０、細断装置３０、剪枝装置４０を備えて構成されている。
【００１４】
詳述すると、図１に示されるように、フレーム本体１０は、茶畝を跨ぐために正面視門型に形成された前側フレーム１１及び後側フレーム１２と、これら前側及び後側フレーム１１，１２を連結する連結フレーム１３、１４（但し、図中にあっては機体右側のみ図示、以下同様）と、を備えて構成されている。
【００１５】
前側及び後側フレーム１１，１２は、前後方向に離間した状態で対向配置されていると共に、軌間伸縮が可能となるように、左右方向に延びる図示しない横フレーム部が伸縮自在とされている。そして、これら前側及び後側フレーム１１，１２は、前後方向に延びる連結フレーム１３，１４によって、前側フレーム１１と後側フレーム１２とが連結固定されている。
【００１６】
さらに、フレーム本体１０の下端、つまり前側フレーム１１の左右脚部１１ａの下端と後側フレーム１２の左右脚部１２ａの下端とには、前後方向に延びる左右一対の補剛フレーム１５を介して走行装置２０が取り付け固定されており、これにより、走行機体が構成されるようになっている。
【００１７】
走行装置２０は、油圧式の走行モータ（図示せず）が組み込まれた駆動輪２１、従動輪２２、ゴム製或いは鉄製のクローラ２３を備えて構成されており、クローラ２３の張り調整は、グリススプリング方式の採用によりグリースガンで容易に行うことができるようになっている。また、機体右側の走行装置２０の上方には油圧タンク５０、機体左側の走行装置２０の上方には燃料タンク（図示せず）が、それぞれ前側及び後側フレーム１１，１２に跨って取り付けられている。
なお、走行装置２０は、クローラを用いたものに限定されるものではなく、例えば、車輪、レール式等であってもよい。
【００１８】
前側及び後側フレーム１１，１２の横フレーム間には、前後方向に延びる補剛フレーム１６や板状のフロア部材１７が敷設されることによって、オペレータや重量物を搭載可能とする上部デッキが形成されている。
【００１９】
この上部デッキには、操縦部５１、操作ハンドル５２、操縦席（図示せず）、油圧ポンプ一体型のエンジンが配設されている。
【００２０】
操縦部５１は、上部デッキの右前部に設けられており、機体操作及び茶園管理作業（この場合、剪枝作業）を行うための制御手段としての制御ユニットが組み込まれたタッチパネル式（例えば、入力数値としては細断装置及び剪枝装置の高さ、軌間伸縮量等）の入力操作表示部、イグニションスイッチ、作業形態に応じて入力操作表示部の表示高さと実際の剪枝高さとに誤差を生じさせないための作動切換スイッチ等（いずれも図示せず）が備えられている。
【００２１】
さらに、この操縦部５１の制御ユニットは、車載された各種検出手段からの検出値や走行履歴情報、入力情報等に基づいて細断装置３０、剪枝装置４０の姿勢制御、例えばきめ細かな高さ制御等を行うように予め設定されていると共に、ＧＰＳ（Global Positioning System、ナビゲーションシステムのこと）による走行履歴情報、例えば走行距離情報、走行スピード情報等を記憶、表示、かつ通信回線を介して送出可能とする機能が備えられている。
【００２２】
なお、ＧＰＳの構成に代えて、制御ユニットから送出された走行距離情報、走行スピード情報及び作業内容（例えば、日付・時間・作業時間・天候・作業場所・作業の種類・作業条件等の情報データ）を、刈取機１００に搭載した図示しない制御機器（例えば、ＰＣＬ：プログラマブルロジックコントローラ）に自動的に記憶格納するように構成することが可能である。そして、この制御機器とパソコンとを無線や有線で接続することによって、制御機器内部に記憶格納した情報データがパソコンから取り出される。これにより、ＧＰＳを用いることなく作業の内容を容易に管理することが可能となるだけでなく、刈取機１００の価格上昇を抑えることもできる。
【００２３】
そして、この操縦部５１の後方に、正面視Ｔ字状の操作ハンドル５２、オペレータが着座して機体操作及び茶園管理作業を行うための操縦席や各種機体操作レバー（図示せず）が配設されている。この操縦席の左横には、刈取機１００の動力源としてのエンジン（図示せず）が、側面に通気孔があけられた箱型のエンジンカバー５３内に格納配置されている。このエンジンには、走行駆動・昇降駆動・軌間伸縮・剪枝作業用の各油圧アクチュエータに作動油を供給するための油圧ポンプが一体化されており、エンジン動力によって油圧ポンプが駆動されるようになっている。また、このエンジンには、走行装置２０の上方に設けられた燃料タンクから燃料が供給されるようになっている。そして、油圧ポンプから圧送された作動油は各油圧アクチュエータに送られたのち、後側フレーム１２の上部に取り付けられたファン式のオイルクーラ５４で冷却されてから油圧タンク５０にリターンされるようになっている。
【００２４】
後側フレーム１２の背面側、すなわち走行機体の後部には、アタッチメントの１つである細断装置３０及び剪枝装置４０が一体的に連なった状態で着脱可能、かつ昇降可能に設けられている。
【００２５】
まず、細断装置３０及び剪枝装置４０を昇降させる昇降装置６０，６０について説明する。昇降装置６０，６０は、それぞれ走行機体の左右側部に配設される一対の長尺フレーム６１，６１、昇降用シリンダ６２，６２、昇降体６３，６３を備えている。
なお、昇降装置６０，６０は、走行機体の左右側に等しく設けられるものであるから、以下にあっては、走行機体右側の昇降装置６０についてのみ説明する。
【００２６】
図１に示されるように、長尺フレーム６１は、後側フレーム１２の脚部１２ａの背面側に、上下２つのアタッチ取付部１８ａ，１８ｂを介して着脱可能に取り付け固定される長尺状のフレーム部材である。この長尺フレーム６１が後側フレーム１２に取り付けられた状態にあっては、後側フレーム１２の脚部１２ａと平行かつ適宜距離をあけて配置されるようになっている。この長尺フレーム１２の上部と後側フレーム１２の脚部１２ａの上部との対向面間には、昇降用シリンダ６２が配設されている。
【００２７】
昇降用シリンダ６２は、制御ユニットの制御下でロッド部６２ａが伸縮動作する油圧式シリンダが用いられており、ロッド部６２ａがシリンダ部６２ｂの下方側において伸張動作するように、シリンダ部６２ｂの上部が長尺フレーム６２に、シリンダ６２ｂの下部がアタッチ取付部１８ａに取り付け固定されている。ロッド部６２ａの先端は、長尺フレーム６１のアタッチ取付部１８ａ，１８ｂ間に上下移動可能に配設された昇降体６３の上部に連接されており、ロッド部６２ａの伸張動作に応じて昇降体６３がアタッチ取付部１８ａ，１８ｂ間を昇降移動するようになっている。
【００２８】
昇降体６３は、細断装置３０および剪枝装置４０を機体後方に張り出した状態で支持しながら長尺フレーム６１の長手方向に沿って昇降する昇降部材であって、長尺フレーム６１を前後から挟み込むように、その内部４隅に設けられた４つのコロ（図示せず）が長尺フレーム６１の前、後面部に摺動しながら回転することによって、スムーズに昇降移動するようになっている。
【００２９】
また、長尺フレーム６１の側面下部には、昇降体６３、すなわち細断装置３０及び剪枝装置４０の下限位置を示す複数の位置決め孔６４が、長尺フレーム６１の長手方向に沿って設けられている。また、昇降体６３の側面下部には、アタッチ取付部１８ｂに干渉することなく位置決めボルト（図示せず）に当接するように切り欠かれた接合部６３ａが形成されている。そして、剪枝作業時に所望する刈取高さの位置決め孔６４に位置決めボルトを「かんぬき」として差し込むと、昇降体６３が位置決めボルト以下に下降しなくなるので、細断装置３０及び剪枝装置４０の下限位置、言い換えれば茶畝の刈取高さの調整（刈取調整）を容易化することのできる下限位置ストッパーとして機能するようになっている。
【００３０】
なお、位置決めボルトに昇降体６３が当接し、昇降用シリンダ６２の油圧回路に負荷が掛かると直ちに油圧を逃がすことによってロッド部６２ａの伸張動作が直ちに停止するようになっている。
また、昇降体６３の下限位置は、位置決めボルトによってのみ調整されるものではなく、操縦部５１に所望する高さ位置情報を入力することによっても調整することができるようになっている。
さらに、昇降用シリンダ６２は油圧式に限定されるものではなく、空気式であってもよい。また、昇降用シリンダ６２の代わりに、油圧式モータ、電動式モータとチェーン、ワイヤを用いた巻取り機構やボールネジを用いて昇降体６３を昇降させるように構成してもよい。
【００３１】
そして、走行機体右側の昇降装置６０と同様の態様により走行機体左側の昇降装置６０も構成されていると共に、左右の昇降体６３，６３は同期して昇降移動するように制御ユニットにより制御されるようになっている。
【００３２】
次に、細断装置３０について説明する。
細断装置３０は、フレール刃、駆動用エンジン（いずれも図示せず）を備えている。
【００３３】
フレール刃は、茶畝の幅方向に延びた水平回転軸（図示せず）の径方向に立設されたＬ字状、Ｔ字状またはＹ字状の刈刃であって、これら複数のフレール刃が高速回転することによって茶樹の枝葉を細かく粉砕する。水平回転軸は、図１に示されるように、フレール刃の回転軌跡３１（図中にあっては二点鎖線で示す）よりも上方に配置された駆動用エンジンから駆動ベルト（図示せず）を介して回転動力が伝達されるようになっている。これら駆動ベルト及び駆動用エンジンは、ボックス状のカバー３２，３３によって覆われていると共に、フレール刃及び水平回転軸は、下方が開口したカバー（図示せず）によって覆われている。
【００３４】
駆動用エンジンは、操縦部５１の制御下にある小型のガソリンエンジンが用いられており、刈取機１００の動力源としてのエンジンがガソリンエンジンの場合には、走行装置２０上方の燃料タンクから燃料が供給されるが、刈取機１００の動力源としてのエンジンがディーゼルエンジンの場合には、走行装置２０上方の燃料タンクとは異なる燃料タンクから燃料が供給されるようになっている。
【００３５】
また、細断装置３０の後部には、上下２つの調整ボルト３４，３４によって、細断装置３０と剪枝装置４０との相対高さを調整可能とする左右一対の相対高さ調整部３５，３５（但し、図１中にあっては機体右側のみ図示）が設けられている。そして、この相対高さ調整部３５，３５を介して細断装置３０から後方に張り出すようにして剪枝装置４０が一体的に支持されている。
【００３６】
次に、剪枝装置４０について図１〜図４を用いて説明する。
図１〜図４に示されるように、剪枝装置４０は、剪枝機体４１、刈刃４２、移送装置としてのチェーンコンベア４３，４３、誘導部材としてのカバー４４，４４を備えている。
【００３７】
本体部４１は、図１〜４に示されるように、茶畝の上面（横幅方向）に沿うように形成された板状部材であって、剪枝機体４１と相対高さ調整部３５，３５とは門型パイプフレーム４５によって連結されていると共に、剪枝機体４１上面と門型パイプフレーム４５との間には、前方から下方に向かって湾曲した左右一対の補剛パイプフレーム４６，４６が介設されている。さらに、補剛パイプフレーム４６，４６は、チェーンコンベア４３，４３の上方に配置されるパイプフレーム４６０によって一体的に連なっている。これにより、門型パイプフレーム４５、補剛パイプフレーム４６，４６、パイプフレーム４６０は、剪枝機体４１の一部とみなすことができるようになっている。
【００３８】
剪枝機体４１の下面前側には、図３に示されるように、上下一対の刈刃（バリカン刃）４２が左右方向に往復動可能に設けられている。これら刈刃４２を駆動する油圧モータ４７は、図２〜４に示されるように、剪枝機体４１の上面片側（本実施形態にあっては機体右側）に設けられていると共に、上部デッキ上の油圧ポンプから作動油が供給されるようになっている。
【００３９】
さらに、剪枝機体４１の上面側には、図２〜４に示されるように、刈刃４２が剪枝した剪枝屑を左右の畝間に向かって移送する左右一対のチェーンコンベア４３，４３が剪枝機体４１の上面部よりも高い位置において循環可能に設けられている。チェーンコンベア４３，４３を駆動する２つの油圧モータ４８，４８は、剪枝機体４１の左右中心側に設けられていると共に、上部デッキ上の油圧ポンプから作動油が供給されるようになっている。これにより、チェーンコンベア用の油圧モータが剪枝機体４１の機体左右にある場合に比べると、剪枝屑の吐き出し空間を広くとることができるので、剪枝屑の吐き出し効率が向上すると共に剪枝屑を溜まりにくくすることができる。
また、チェーンコンベア４３，４３には、図３，４に示されるように、複数のウレタンゴム板４３ａが所定間隔をあけた状態でボルト固定されている。ウレタンゴム板を用いるのは、剪枝屑を畝間に向かって移送する際の過大な負荷から油圧モータ４８，４８を保護するためであり、これらウレタンゴム板の代わりに弾性体、例えばゴム板を用いてもよい。
【００４０】
なお、図３，４中の符号４３ｂ，４３ｂは、チェーンコンベア４３，４３の張力を一定に保つためのテンショナである。また、移送手段は、チェーンコンベア４３，４３にのみ限定されるものではなく、ブロワを用いてもよい。
また、同図中の符号４９，４９は、カバー４４，４４がウレタンゴム板４３ａに干渉するのを未然に防止したり、油圧モータ４７に剪枝屑がかからないようにするための保護部材である。
【００４１】
さらに、剪枝機体４１の上面左右側部には、チェーンコンベア４３，４３により移送されてきた剪枝屑を畝間に向かって落下させるための左右一対の縦板状のカバー４４，４４が、剪枝機体４１から左右側方に張り出した状態で、その張り出し量をそれぞれ個別に調節することができるように設けられている。
【００４２】
具体的には、カバー４４，４４は、剪枝屑の飛散を防止すると共に隣の茶畝の裾部を押し拡げることができるような剛性を持った材質（例えば、金属、木、合成樹脂）から形成されている。これらカバー４４，４４の前端部側は、剪枝機体４１の一部とみなされている門型パイプフレーム４５に揺動可能に支持されている。また、カバー４４，４４の後部側は、剪枝機体４１の一部とみなされている補剛パイプフレーム４６，４６から側方（外側）に向かって伸縮自在に張り出し支持された伸縮部材としてのアーム部材４４０，４４０の突出端部に揺動可能に連接されている。このアーム部材４４０，４４０の基端部側には、スリット４４１，４４１がアーム部材４４０，４４０の長手方向に向かって形成されていると共に、アーム部材４４０，４４０の基端部側と補剛パイプフレーム４６，４６との間には、補剛パイプフレーム４６，４６のフランジ部（図示せず）に螺合し、かつアーム部材４４０，４４０の各スリット４４１，４４１を挿通した軸部を備えた締め具としてのノブナット４４２，４４２が設けられている。そして、ノブナット４４２を緩めると、補剛パイプフレーム４６との連接位置を基点としてアーム部材４４０を外側に張り出したり、機体左右中心側に引っ込めたりすることができるようになっていると共に、ノブナット４４２を締め付けると、アーム部材４４０を固定することができるようになっている。すなわち、手動で左右のカバー４４，４４の張り出し量を個別に調節することができるようになっている。
なお、締め具はノブナットのみに限定されるものではなく、例えば、ノブボルトや蝶ネジを用いてもよい。
【００４３】
これにより、図４に示されるように、左右のカバー４４，４４を最大に張り出させた状態にあっては、カバー４４，４４を張り出していない元の状態（図３参照）よりも、剪枝機体４１とカバー４４，４４との間の空間をより拡げることができるようになると共に、隣の茶畝の裾部を押し拡げて剪枝屑が畝間に落下する空間を拡げる。これにより、大量の剪枝屑が移送されてきても、また、傾斜地であっても剪枝屑を剪枝機体４１上に剪枝屑を溜めることなく、畝間に落下させることができるようになる。
【００４４】
なお、カバー４４は、アーム部材４４０、ノブナット４４２によってのみ張り出されるものではなく、制御ユニットの制御下にある油圧式シリンダやエアシリンダを補剛パイプフレーム４６とカバー４４との間に介設し、ロッドを伸縮動作させることによって張り出し量を調節するようにしてもよい。この場合、カバー４４の張り出し量は、カバー４４の位置を検出する位置センサ、またはカバー４４の揺動中心位置に設けた角度センサの検出値に基づいて制御ユニットがフィードバック制御するのが好ましい。
また、補剛パイプフレーム４６とカバー４４との間にボールネジを介設してカバー４４の張り出し量を調節するようにしてもよい。ネジ軸の回転は、手動、油圧モータ、電動モータの何れかによって行われるようにしてもよい。
また、カバー４４の揺動中心位置に制御ユニットの制御下にあるステッピングモータを配設してカバー４４を回動させるようにしてもよい。この場合、カバー４４の張り出し量は、カバー４４の位置を検出する位置センサ、またはカバー４４の揺動中心位置に設けた角度センサの検出値に基づいて制御ユニットがフィードバック制御するのが好ましい。
【００４５】
以上説明したように本発明の摘採装置によれば、剪枝機体４１にカバー４４，４４を茶畝の横幅方向に向かって開動可能、または伸縮可能かつ伸縮量をノブナット４４２，４４２によって調整可能なアーム部材４４０，４４０によって連接することによって、カバー４４，４４の張り出し量を調整できるようにした。さらに、カバー４４，４４は、隣の茶畝の裾部を押し拡げて剪枝屑が畝間に落下する空間を拡げるように張り出される。これにより、剪枝機体４１とカバー４４，４４との間の空間をより拡げることができるようになるうえに、剪枝作業を行っている茶畝の隣の茶畝の裾部をカバー４４，４４が押して畝間を充分拡げることができるようになるので、大量の剪枝屑が移送されてきても、また、傾斜地であっても剪枝屑を剪枝機体４１上に剪枝屑を溜めることなく、畝間に落下させることができるようになる。
また、剪枝装置４０の構造を大幅に変更することなく、簡素な構成で茶畝を充分拡げることができるようになるので、既存の剪枝装置にも容易に適用することができる。
【図面の簡単な説明】
【００４６】
【図１】本発明の剪枝装置を備えた刈取機の側面図である。
【図２】同例における剪枝装置の正面図である。
【図３】同例における剪枝装置の平面図である。
【図４】同例における剪枝装置のカバーを最大に張り出させた状態を示した平面図である。
【符号の説明】
【００４７】
１００…刈取機
１０…フレーム本体
２０…走行装置
３０…細断装置
４０…剪枝装置
４１…剪枝機体
４２…刈刃
４３…チェーンコンベア（移送装置）
４４…カバー（誘導部材）
４４０…アーム部材（連接部材）
４４１…スリット
４４２…ノブナット（締め具）
【図１】
0005134874.tif 000002
【図２】
0005134874.tif 000003
【図３】
0005134874.tif 000004
【図４】
0005134874.tif 000005